(57)【要約】【課題】肘掛けの内部に、操作手段とリクライニング機構とに連係されたケーブルを、前後左右方向に移動するのを防止し、他の部材と干渉しないように、整然と配索しうるようにしたリクライニング椅子を提供する。【解決手段】肘掛け４を、内外両側面が開口された枠状のフレーム１２を有するものとし、このフレーム１２の前記両開口１０を、取外し可能に装着された内カバーと外カバー１７により閉塞し、フレーム１２における下部と前部の内面に、操作手段に連結されたケーブル２４が、フレーム１２の外側方に移動するのを防止する側方移動防止片２０、２１と、同じく、フレーム１２の内側方及び後方に移動するのを防止する倒立Ｌ字状断面をなすケーブル保持片２６とを設ける。【選択図】  図５
2009066100.tif 000002
【特許請求の範囲】
【請求項１】
背凭れのリクライニング機構に連係されたケーブルを、肘掛けの内部に挿通し、その端部を、肘掛けの前上部に設けた操作手段に連結し、この操作手段を操作することにより、前記背凭れを傾動しうるようにしてなるリクライニング椅子において、
前記肘掛けを、内外両側面が開口された枠状のフレームを有するものとし、このフレームの前記両開口を、取外し可能に装着された内カバーと外カバーにより閉塞し、前記フレームにおける少なくとも前部側の内面に、前記操作手段に連結されたケーブルが、フレームの一側方に移動するのを防止する側方移動防止片と、同じく、フレームの他側方及び後方に移動するのを防止する倒立Ｌ字状断面をなすケーブル保持片とを設けたことを特徴とするリクライニング椅子。
【請求項２】
側方移動防止片を、ケーブルの配索方向に沿って複数設け、かつケーブル保持片を、前記複数の側方移動防止片間に位置するようにして設けてなる請求項１記載のリクライニング椅子。
【請求項３】
ケーブル保持片の先端を、内カバーまたは外カバーの内面に近接させてなる請求項１または２記載のリクライニング椅子。
【請求項４】
側方移動防止片を、内カバーまたは外カバーをフレームにねじ止めするための取付片を兼ねるものとした請求項１〜３のいずれかに記載のリクライニング椅子。
【請求項５】
フレームにおける内外両側面の開口と近接する部分に、それぞれ内カバーと外カバーの外周部が嵌合される凹入段部を設けてなる請求項１〜４のいずれかに記載のリクライニング椅子。
【請求項６】
肘掛けに、テーブルを、肘掛けの内部に格納された不使用位置から、座体の前部上方おいて水平をなす使用位置まで移動しうるように設け、かつ前記テーブルを不使用位置に停止させるストッパを、側方移動防止片とケーブル保持片より離間するようにして、フレームの前部側の内面に設けてなる請求項１〜５のいずれかに記載のリクライニング椅子。
【発明の詳細な説明】
【技術分野】
【０００１】
本発明は、肘掛けに設けた操作手段と、前後傾動可能な背凭れに設けたリクライニング機構とを、ケーブルにより連係し、操作手段を操作することにより、背凭れを傾動させうるようにしたリクライニング椅子に関する。
【背景技術】
【０００２】
このようなリクライニング椅子は、例えば特許文献１〜３に記載されており、公知である。
【特許文献１】特開平６−３２１５９号公報
【特許文献２】特開平１１−２２５８４２号公報
【特許文献３】特開２００６−１４３号公報
【発明の開示】
【発明が解決しようとする課題】
【０００３】
上記特許文献１〜３に記載されているリクライニング椅子のように、操作手段とリクライニング機構とを、ケーブルにより連係してなるものにおいては、ケーブルが外部に露出しないように、単に中空状とした肘掛けの内部にケーブルを挿通して配索しているのが一般的である。
このようにすると、肘掛け内においてケーブルが保持されていないため、操作手段の操作時にケーブルが動いたりすると、肘掛けの内面や他の部材と接触する恐れがある。
【０００４】
また、例えば物品載置用のテーブルを肘掛けに取付け、このテーブルを、不使用時に肘掛けの内部に格納しておけるようにした椅子においては、肘掛け内のテーブルと干渉しない位置に、ケーブルを、前後左右方向に移動するのを防止しながら、簡単な手段により整然と配索したり、ケーブルのメンテナンス等をいかに容易に行うかが、課題となっている。
【０００５】
本発明は、上記問題点に鑑みてなされたもので、肘掛けの内部に、操作手段とリクライニング機構とに連係されたケーブルを、他の部材と干渉しないように保持し、整然と配索しうるようにするとともに、ケーブルのメンテナンス等を容易に行いうるようにしたリクライニング椅子を提供することを目的としている。
【課題を解決するための手段】
【０００６】
本発明によると、上記課題は次のようにして解決される。
(１)背凭れのリクライニング機構に連係されたケーブルを、肘掛けの内部に挿通し、その端部を、肘掛けの前上部に設けた操作手段に連結し、この操作手段を操作することにより、前記背凭れを傾動しうるようにしてなるリクライニング椅子において、前記肘掛けを、内外両側面が開口された枠状のフレームを有するものとし、このフレームの前記両開口を、取外し可能に装着された内カバーと外カバーにより閉塞し、前記フレームにおける少なくとも前部側の内面に、前記操作手段に連結されたケーブルが、フレームの一側方に移動するのを防止する側方移動防止片と、同じく、フレームの他側方及び後方に移動するのを防止する倒立Ｌ字状断面をなすケーブル保持片とを設ける。
【０００７】
(２)  上記(１)項において、側方移動防止片を、ケーブルの配索方向に沿って複数設け、かつケーブル保持片を、前記複数の側方移動防止片間に位置するようにして設ける。
【０００８】
(３)  上記(１)または(２)項において、ケーブル保持片の先端を、内カバーまたは外カバーの内面に近接させる。
【０００９】
(４)  上記(１)〜(３)項のいずれかにおいて、側方移動防止片を、内カバーまたは外カバーをフレームにねじ止めするための取付片を兼ねるものとする。
【００１０】
(５)  上記(１)〜(４)項のいずれかにおいて、フレームにおける内外両側面の開口と近接する部分に、それぞれ内カバーと外カバーの外周部が嵌合される凹入段部を設ける。
【００１１】
(６)  上記(１)〜(５)項のいずれかにおいて、肘掛けに、テーブルを、肘掛けの内部に格納された不使用位置から、座体の前部上方おいて水平をなす使用位置まで移動しうるように設け、かつ前記テーブルを不使用位置に停止させるストッパを、側方移動防止片とケーブル保持片より離間するようにして、フレームの前部側の内面に設ける。
【発明の効果】
【００１２】
請求項１記載の発明によれば、ケーブルは、側方移動防止片とケーブル保持片とにより保持されているので、肘掛け内において、前後及び左右方向に動くのが防止され、フレームの前部の内面に沿って上下方向に整然と配索することができる。従って、ケーブルが、肘掛け内の他の部材と干渉する恐れがなくなる。
また、内カバーと外カバーは、フレームに取外し可能に装着されているので、それらを取り外すことにより、ケーブルの配索作業やメンテナンス等を容易に行うことができる。
【００１３】
請求項２記載の発明によれば、ケーブルを、その配索方向に沿って安定よく保持されるので、肘掛け内の他の部材と干渉する恐れはより小さくなる。
【００１４】
請求項３記載の発明によれば、ケーブルは、ケーブル保持片と、内カバーまたは外カバーの内面とにより囲まれた空間に位置することとなるので、ケーブル保持片から簡単に外れる恐れがない。
【００１５】
請求項４記載の発明によれば、側方移動防止片を別途設ける必要がないので、フレームや、それを製造する型等の構造が簡素化し、コスト低減が図れる。
【００１６】
請求項５記載の発明によれば、内カバー及び外カバーを、簡単に位置決めしてフレームの内外両側面に装着しうるとともに、両カバーとフレームの側面同士を同一面に整合させうるので、見栄えが向上する。
【００１７】
請求項６記載の発明によれば、テーブルは、肘掛け内に配索されたケーブルと離間した位置に停止されて格納されるので、ケーブルにテーブルが干渉する恐れがない。
【発明を実施するための最良の形態】
【００１８】
以下、本発明の実施形態を、図面に基づいて説明する。
図１は、例えば鉄道車両の客室に設置される本発明の二人掛け用のリクライニング椅子の斜視図、図２は、同じく平面図である。
【００１９】
図１および図２において、リクライニング椅子(以下、椅子と略称する)１は、図示しない車両の床面に固着された水平回動式の基台の上部に、同じく図示しない旋回機構を介して左右２列並設され、図２に示す回転中心Ｏを中心として、１８０°水平回動させることにより、車両の進行方向に合わせて、椅子１を、前向きと後向きとに１８０°変えられるようになっている。
【００２０】
椅子１は、座体２、２と、その後部より起立する背凭れ３、３と、各座体２の外側の側部より起立する肘掛け４、４とを備え、これら全ての部材は図示しないフレームに取り付けられている。
左右の肘掛け４、４は、互いに左右対称をなし、それぞれが、上端が開口する垂直扁平箱状の肘掛け本体５と、その上端開口部を開閉する蓋体６とを備え、図５及び図６に示すように、肘掛け本体５内には、テーブル７が格納されている。
【００２１】
肘掛け４の前上部には、ヒンジ機構８が取付けられ、このヒンジ機構８により、テーブル７は、肘掛け４内に格納された不使用位置と、図６の２点鎖線で示すように、不使用位置から、左右方向を向く軸回りに上方に回動したはね上げ位置と、図２に示すように、はね上げ位置から前後方向を向く軸回りに、椅子１の内側方に下向き回動して、座体２の前部上方においてほぼ水平となる使用位置とに移動可能として、肘掛け４に枢着されている。
次に、この肘掛け４の詳細について説明する。
【００２２】
図３〜図６に示すように、肘掛け本体５は、内外両側面と上面とに、寸法の大きい開口９、１０、１１が形成された側面視倒立台形枠状のフレーム１２と、このフレーム１２の内側面における開口９の周囲に形成された凹入段部９aに嵌合され、止めねじ１３により取付けられた、開口９を塞ぐ内カバー１４と、フレーム１２の外側面における開口１０の周囲に形成された凹入段部１０aに嵌合され、植え込みボルト１５とナット１６とにより取付けられた、開口１０を塞ぐ外カバー１７とを備えている。
【００２３】
内カバー１４には、フレーム１２の内側の開口９を通って、フレーム１２内に凹入する凹部１４aが設けられている。この凹部１４aは、座体２の上面から上方、かつ背凭れ３の前面から前方に設けられており、後部は浅く、前方に行くほど深くなるようにしてある。
【００２４】
外カバー１７の内側面には、板ばね状の弾性部材１８の上下の端部が、上記と同様の植え込みボルト１５とナット１６とをもって固着されている。  また、内カバー１４の凹部１４aの外側面における上記弾性部材１８と対向する位置にも、板ばね状の弾性部材(図示略)が固着されている。
【００２５】
これら両弾性部材により、テーブル７を内外から挾圧把持することにより、テーブル７を、格納位置において、安定して弾圧保持することができるとともに、テーブル７の移動に適度の抵抗力を付与することができるようにしてある。
【００２６】
図５および図６に示すように、フレーム１２内の下部には、前上方を向くストッパ支持板１９が、フレーム１２の下部と前部の内面に、開口１０と近接するようにして突設された、外カバー１７取付用の取付片２０、２１に固着されており、その後部上面には、テーブル７が格納位置に達したとき、その下端部が当接するようにしたゴム等の弾性体からなるストッパ２２が設けられている。なお、取付片２０、２１は、後記するケーブル２４の外側方への移動を防止する側方移動防止片も兼ねている。
【００２７】
肘掛け本体５におけるフレーム１２の前端上部内面には、背凭れ３をリクライニングするための操作ボタン２３が設けられている。
操作ボタン２３には、例えばボーデンケーブル等のケーブル２４の一端部が連結され、かつ他端部は、図８に示すように、背凭れ３のリクライニング機構におけるガススプリング２５のプッシュバルブを押動するための押圧レバー(いずれも図示略)に連結されている。操作ボタン２３を押すと、ガススプリング２５のロックが解除され、背凭れ３を前後に自由に傾動させうるとともに、操作ボタン２３から手を離すと、背凭れ３を所望の後傾位置にロックすることができる。
【００２８】
ケーブル２４は、肘掛け４内に、つぎのように配索されている。
図５〜図７に示すように、フレーム１２の内側面における開口９及び凹入段部９aが形成されている薄肉の縁片１２a の前部側の外面には、ケーブル２４の浮き上がり、すなわち後方と内側方への移動を防止するケーブル保持片２６が、側方移動防止片を兼ねる上述した下部及び上部の取付片２０、２１との間に位置するように、かつフレーム１２の内面と近接して対向するとともに、先端が外カバー１７の内側面と近接するようにして、外向きに突設されている。
【００２９】
ケーブル２４は、ケーブル保持片２６の下方に挿通させるとともに、上下の取付片２０、２１の内側面と近接するようにして、フレーム１２の前部内面に沿って上下方向に配索され、肘掛け４の下端部から座体２側に引き出されて、ガススプリング２５の押圧レバーに連結されている。
【００３０】
このようにケーブル２４を配索すると、ケーブル２４は、上下の取付片２０、２１により、外側方に移動するのが防止され、かつ縁片１２a とケーブル保持片２６により倒立Ｌ字状断面に形成されて、内側方と後方への移動が防止されるので、肘掛け４内において、前後及び左右方向に動くのが防止され、フレーム１２の前部の内面に沿って上下方向に整然と配索される。
従って、ケーブル２４が、テーブル７や他の部材と干渉する恐れがなくなる。
【００３１】
また、ケーブル２４を、上下の取付片２０、２１に近接させるとともに、ケーブル保持片２６の下方に挿通するだけで、容易に保持することができる。
さらに、フレーム１２の内側面と外側面を開口９、１０し、これらの開口９、１０に、内カバー１４と外カバー１７とを取外し可能に取り付けているので、それらの一方を取り外すことにより、ケーブル２４の配索作業やメンテナンス等を容易に行うことができる。
【００３２】
本発明は、上記実施形態に限定されるものではない。
上記実施形態では、側方移動防止片を兼ねる取付片２０、２１を２個、ケーブル保持片２６を１個のみとしてあるが、それらを、ケーブル２４の配索方向に沿って２個以上及び複数設けてもよい。この際にも、ケーブル保持片２６は、互いに隣接する取付片間に位置させればよい。
【００３３】
また、上記実施形態では、外カバー１７の取付片２０、２１を、ケーブル２４の側方移動防止片として兼用しているが、それらの取付片２０、２１とは別に、専用の側方移動防止片を設けてもよい。
【００３４】
フレーム１２の内側面に、縁片１２a を設けないときには、ケーブル保持片２６を倒立Ｌ字状断面とし、フレーム１２の内面に直接設けてもよい。
【００３５】
上記実施形態とは反対に、取付片２０、２１をフレーム１２の内側面側に、ケーブル保持片２６を、フレーム１２の外側面側に、それぞれ設けてもよい。
本発明は、上記鉄道車両用のリクライニング椅子の外、オフィス等で使用されるリクライニング椅子にも適用しうることは勿論である。
【図面の簡単な説明】
【００３６】
【図１】本発明の二人掛け用リクライニングの椅子の斜視図である。
【図２】同じく、一方のテーブルを使用位置としたときの平面図である。
【図３】肘掛け本体より内カバーを外し、かつ蓋体を開いたときの内方より見た斜視図である。
【図４】肘掛け本体より内カバーを外し、かつ蓋体を閉じたときの内方より見た側面図である。
【図５】肘掛け本体より外カバーを外したときの外方より見た斜視図である。
【図６】肘掛け本体より外カバーを外したときの外方より見た側面図である。
【図７】図６のVII-VII線拡大縦断端面図である。
【図８】リクライニング椅子の後面図である。
【符号の説明】
【００３７】
１    リクライニング椅子
２    座体
３    背凭れ
４    肘掛け
５    肘掛け本体
６    蓋体
７    テーブル
８    ヒンジ機構
９    開口
９a   凹入段部
１０  開口
１０a 凹入段部
１１  開口
１２  フレーム
１２a  縁片
１３  止めねじ
１３a 凹部
１４  内カバー
１５  植え込みボルト
１６  ナット
１７  外カバー
１８  弾性部材
１９  ストッパ支持板
２０  取付片(側方移動防止片)
２１  取付片(側方移動防止片)
２２  ストッパ
２３  操作ボタン(操作手段)
２４  ケーブル
２５  ガススプリング
２６  ケーブル保持片
Ｏ    回転中心
【図１】
2009066100.tif 000003
【図２】
2009066100.tif 000004
【図３】
2009066100.tif 000005
【図４】
2009066100.tif 000006
【図５】
2009066100.tif 000007
【図６】
2009066100.tif 000008
【図７】
2009066100.tif 000009
【図８】
2009066100.tif 000010